(57)【要約】【課題】簡潔な構造で、締付け及び解除動作も容易であり、かつ、十分な締付け力を得られる締付けバンドを有するスポーツ用手袋を提供する。【課題の解決手段】締付けバンド１０を有するスポーツ用手袋１は、使用者の手の甲側を被覆する甲部２と、同じく掌側を被覆する掌部３とを備え、甲部２は、使用者の手を容易に挿入するための切り込み部９によって、左甲部２ａと右甲部２ｂに分割され、左甲部２ａには左締付けバンド１０ａの基端部を固定する一方、右甲部２ｂには右締付けバンド１０ｂの基端部を固定し、右締付けバンド１０ｂは、左甲部２ａ側に設けたガイド孔１１を介して折り返すことにより、自己の基端側に設けた面ファスナー１２に先端側に設けた面ファスナー１３を係脱自在に係止可能とし、左締付けバンド１０ａの先端部を右締付けバンド１０ｂに固定して一体化し、締付けバンド１０とする。【選択図】図１
0003145239.tif 000002
【実用新案登録請求の範囲】
【請求項１】
使用者の手の甲側を被覆する甲部と、同じく掌側を被覆する掌部と、同じく親指を挿入する親指部と、同じく人差指を挿入する人差指部と、同じく中指を挿入する中指部と、同じく薬指を挿入する薬指部と、同じく小指を挿入する小指部とを備えてなるスポーツ用手袋であって、
前記甲部は、使用者の手を容易に挿入するための切り込み部によって、左甲部と右甲部に分割され、
左甲部には左締付けバンドの基端部を固定する一方、右甲部には右締付けバンドの基端部を固定し、
前記左右締付けバンドの一方は、その基端部が固定されていない甲部側に設けた折り返しガイドを介して折り返すことにより、自己の基端側に設けた係止部に自己の先端側に設けた被係止部を係脱自在に係止可能とし、
前記左右締付けバンドの一方に、前記左右締付けバンドの他方の先端部を固定して、前記左右締付けバンドを一体化し、締付けバンドとしてなる、
ことを特徴とする締付けバンドを有するスポーツ用手袋。
【請求項２】
締付けバンドは、少なくともその一部を伸縮部材で形成していることを特徴とする請求項１記載の締付けバンドを有するスポーツ用手袋。
【請求項３】
折り返しガイドは、左右甲部の一方に設けたガイド孔であることを特徴とする請求項１または請求項２記載の締付けバンドを有するスポーツ用手袋。
【請求項４】
左右締付けバンドの一方の基端側に設けた係止部と、先端側に設けた被係止部とは、雌雄一対の面ファスナーであることを特徴とする請求項１ないし請求項３のいずれか１項に記載の締付けバンドを有するスポーツ用手袋。
【請求項５】
左締付けバンドの基端部は、左甲部における小指部の下方に対応して固定する一方、右締付けバンドの基端部は、右甲部における人差指部の下方に対応して固定したことを特徴とする請求項１ないし請求項４のいずれか１項に記載の締付けバンドを有するスポーツ用手袋。
【考案の詳細な説明】
【技術分野】
【０００１】
本考案は、スポーツ用手袋に関し、特に、ゴルフや野球のように棒状体を把持する競技で使用するのに適した締付けバンドを有するスポーツ用手袋に関する。
【背景技術】
【０００２】
従来のスポーツ用手袋は、使用者が手を容易に挿入できるように、甲部に切り込み部を設けて左右に広がるようにする一方、挿入後には使用者の手首を締付けるために締付けバンドを設けている。そして、一般的な従来のスポーツ用手袋における締付けバンドは、先端側に面ファスナーを設け、基端部は切り込み部で二分された甲部の一方側に固定し、前記甲部の他方側に設けた面ファスナーに、前記先端側の面ファスナーを係止することにより、使用者の手首を締付けるよう構成されている。ところが、この一般的な締付けバンドでは、甲部の一方側を他方側に引っ張って締付けるものなので、締付け力が不十分であるという問題がある。
【０００３】
従来においても、この問題を解決するものとして、二分された甲部の双方を互いの接近方向に引っ張って締付けるために、締付けバンドを二分された甲部のそれぞれに各別に設けた構成が提案されている（特許文献１）。
【０００４】
【特許文献１】特開２００６−２４１６４６号公報
【０００５】
しかしながら、この特許文献１に記載された締付けバンドは、各別に２本設けられ、これら２本を交差するように締付け固定するので、スポーツ用手袋の構造が複雑になるとともに、締付け及び解除動作が煩雑で容易でないという不都合を生じる。
【考案の開示】
【考案が解決しようとする課題】
【０００６】
本考案は、十分な締付け力を確保するとともに、上述の不都合を解消した締付けバンドを有するスポーツ用手袋を提供することを目的とする。
【課題を解決するための手段】
【０００７】
この目的を達成するために、本考案に係る締付けバンドを有するスポーツ用手袋は、使用者の手の甲側を被覆する甲部と、同じく掌側を被覆する掌部と、同じく親指を挿入する親指部と、同じく人差指を挿入する人差指部と、同じく中指を挿入する中指部と、同じく薬指を挿入する薬指部と、同じく小指を挿入する小指部とを備えてなるスポーツ用手袋であって、前記甲部は、使用者の手を容易に挿入するための切り込み部によって、左甲部と右甲部に分割され、左甲部には左締付けバンドの基端部を固定する一方、右甲部には右締付けバンドの基端部を固定し、前記左右締付けバンドの一方は、その基端部が固定されていない甲部側に設けた折り返しガイドを介して折り返すことにより、自己の基端側に設けた係止部に自己の先端側に設けた被係止部を係脱自在に係止可能とし、前記左右締付けバンドの一方に、前記左右締付けバンドの他方の先端部を固定して、前記左右締付けバンドを一体化し、締付けバンドとしてなる。
【０００８】
上述の構成において、締付けバンドは、少なくともその一部を伸縮部材で形成すると好適である。また、折り返しガイドは、左右甲部の一方に設けたガイド孔で構成すると好適である。さらに、左右締付けバンドの一方の基端側に設けた係止部と、先端側に設けた被係止部とを、雌雄一対の面ファスナーで構成すると好適である。またさらに、左締付けバンドの基端部は、左甲部における小指部の下方に対応して固定する一方、右締付けバンドの基端部は、右甲部における人差指部の下方に対応して固定すると好適である。
【考案の効果】
【０００９】
本考案の締付けバンドを有するスポーツ用手袋によれば、１枚の締付けバンドと同様の締付け動作で、二分された甲部の左右双方を互いの接近方向に引っ張って締付けることができるので、簡単な構造及び簡単な動作で十分な締付け力を得られるという効果を奏する。
【考案を実施するための最良の形態】
【００１０】
以下、本考案の好適な実施形態を添付図面に基づき説明する。ここにおいて、図１は締付け解除状態におけるスポーツ用手袋の甲側を示す平面図、図２は締付け状態におけるスポーツ用手袋の甲側を示す平面図である。
【００１１】
図１及び図２に示すように、スポーツ用手袋１は、使用者の手の甲側を被覆する甲部２と、同じく掌側を被覆する掌部３と、同じく親指を挿入する親指部４と、同じく人差指を挿入する人差指部５と、同じく中指を挿入する中指部６と、同じく薬指を挿入する薬指部７と、同じく小指を挿入する小指部８とを備えている。前記甲部２は、使用者の手を容易に挿入するための切り込み部９によって、左甲部２ａと右甲部２ｂに二分割されている。
【００１２】
左甲部２ａには左締付けバンド１０ａの基端部を小指部８の下方に対応して固定する一方、右甲部２ｂには右締付けバンド１０ｂの基端部を人差指部５の下方に対応して固定している。前記右締付けバンド１０ｂは、その基端部が固定されていない左甲部２ａに設けた折り返しガイドたるガイド孔１１を、下側（掌部３側）から挿通している。また、右締付けバンド１０ｂの基端側と先端側には、係止部と被係止部を構成する雌雄一対の面ファスナー１２，１３を設けている。
【００１３】
そして、左締付けバンド１０ａの先端部を、右締付けバンド１０ｂのガイド孔１１を挿通して延びる、面ファスナー１３設置面とは反対面側に固定して、前記左右締付けバンド１０ａ，１０ｂを一体化し、締付けバンド１０を構成している。なお、前記左右締付けバンド１０ａ，１０ｂは、各基端部及び面ファスナー１３設置部を除き、伸縮部材で構成している。また、前記左締付けバンド１０ａは短く、前記右締付けバンド１０ｂは折り返しのために長く形成している。
【００１４】
本実施形態は上述のように構成したので、使用者は締付けを解除した図１状態で、手をスポーツ用手袋１内に挿入し、締付けバンド１０を右甲部２ｂ側に折り重ねて、雌雄一対の面ファスナー１２，１３で係止すると、図２に示す締付け状態となる。この時、右甲部２ｂは右締付けバンド１０ｂにより左甲部２ａ方向に引っ張られ、左甲部２ａは左締付けバンド１０ａにより右甲部２ｂ方向に引っ張られるので、使用者の手首に対して十分な締付け力が作用する。
【００１５】
なお、本考案は上述の実施形態に限定されるものではなく、例えば、左締付けバンド１０ａと右締付けバンド１０ｂの長短関係を逆にするとともに、ガイド孔１１を右甲部２ｂに設け、このガイド孔１１を挿通する左締付けバンド１０ａの先端部と基端部とに面ファスナー１２，１３を設けて、左締め付けバンド１０ａを折り重ねることにより、締付け状態とするよう構成してもよい。また、折り返しガイドはガイド孔１１のほか、ガイド環を左甲部２ａまたは右甲部２ｂに設けて構成することもできる。
【図面の簡単な説明】
【００１６】
【図１】締付け解除状態におけるスポーツ用手袋の甲側を示す平面図。
【図２】締付け状態におけるスポーツ用手袋の甲側を示す平面図。
【符号の説明】
【００１７】
１      スポーツ用手袋
２      甲部
２ａ      左甲部
２ｂ      右甲部
３      掌部
９      切り込み部
１０      締付けバンド
１０ａ      左締付けバンド
１０ｂ      右締付けバンド
１１      ガイド孔
１２，１３      面ファスナー
【図１】
0003145239.tif 000003
【図２】
0003145239.tif 000004